(57)【要約】【課題】  従来、ポンプ、圧縮機、熱機関などに利用されてきた機関には、それぞれ構造に由来する短所があった。【解決手段】  本案はこの問題について、螺旋構造の中に独立密閉の流体室を持つ機関を考案することにより、解決しようとするものである。【選択図】  図１
2005226627.tif 000002
【特許請求の範囲】
【請求項１】
２軸式流体移送器を構成する３つの部品、即ち２個のローター（イ）（ロ）と、これを納めるケーシング（ハ）の断面形状。
・αはローターの形状を表す定数である。
２ｔａｎα０＝ｔａｎ（ｔａｎα０＋α０−π）と置けば、その範囲は、
2005226627.tif 000008
である。
・ｌは２個のローターの軸間距離を表す任意の定数である。
・θはローターの回転位置を表す任意の定数である。
・ω＝ａｒｃｉｎｖ（ｉｎｖα＋π）−αと置く。
2005226627.tif 000009
（イ）ローター１
2005226627.tif 000010
（ロ）ローター２
2005226627.tif 000011
（ハ）ケーシング内壁
2005226627.tif 000012
【請求項２】
２軸式流体移送器を構成する３つの部品、即ち２個のローター（イ）（ロ）と、これを納めるケーシング（ハ）の断面形状。
・αはローターの形状を表す定数である。
２ｔａｎα０＝ｔａｎ（ｔａｎα０＋α０−π）と置けば、その範囲は、
2005226627.tif 000013
である。
・ｌは２個のローターの軸間距離を表す任意の定数である。
・θはローターの回転位置を表す任意の定数である。
・２ｓｉｎω＝ｃｏｓαｓｉｎ（ｉｎｖα−２ω）と置く。
2005226627.tif 000014
（イ）ローター１
2005226627.tif 000015
（ロ）ローター２
2005226627.tif 000016
（ハ）ケーシング内壁
2005226627.tif 000017
【発明の詳細な説明】
【技術分野】  本案はポンプ、圧縮器、熱機関、緩衝器、推進装置などの用途に考案されたものである。
【背景技術】
【０００１】  従来、上の用途には、
（イ）往復機関（ロ）ロータリー機関（ハ）タービン機関
が利用されていた。
【発明の開示】
【発明が解決しようとする課題】
【０００２】  これら従来の機関は構造に由来する短所を持っている。
（イ）往復機関は振動を伴い、高回転の運用ができない。
また、弁やクランクを要するため部品点数が多くなる。
（ロ）ロータリー機関は流体室の容積設定に自由度がない。
（ハ）タービン機関は密閉された流体室を持たないので低回転時の効率が悪い。
本案は上の問題について、螺旋構造の中に独立密閉の流体室を持つ機関を考案することにより、解決しようとするものである。
【課題を解決するための手段】
【０００３】（イ）本案に示す機関の断面形状の特質を挙げると、
・２個のローターとケーシング内壁により常時２〜３個の独立した領域ができる。
・ローターの回転により領域が混ざることはない。
・ローターの回転により領域は増減し、且つ生成点と消滅点を持つ。
（ロ）機関の立体形状は、この断面形状を鉛直方向に移動させ、且つ２つのローター曲面を各々回転させることによって得た曲面である。
このような構造と（イ）に挙げた断面形状の特質により、機関構造内に独立した数個の流体室ができる。
（ハ）さらに２個のローターを各々回転させることにより、これらの流体室をそれぞれ鉛直方向に移動させることができる。
これによって機関は流体を移送する機能を持つ。
（ニ）また（ロ）において、ローター曲面の回転に応じて、鉛直方向の移動量やローター形状を示すαの値を変化させて機関の立体形状を造れば、移送行程において流体室の容積を変化させることができる。
これによって機関は圧縮や膨張の機能を持つ。
【発明の効果】
【０００４】  本案に示す機関はこのような構造であるから、以下の効果が期待できる。
（イ）回転運動のみによる機関であるので、振動、故障が少なく、高回転で運用できる。
（ロ）密閉した流体室を持つので低回転時より効率が高い。
（ハ）複数の流体室により、すべての行程が同時に行われるので、脈動のない連続した作用が得られる。
（ニ）吸入側、排出側とも開口部が大きいので塵芥などの混入に耐える。
（ホ）部品点数が少ないので製造、保守が容易で、安価に供給できる。
（ヘ）設計自由度がある。
【発明を実施するための最良の形態】
【０００５】  最も単純な形態としてポンプとしての実施例を挙げる。
（イ）αを定数とする。
（ロ）ピッチを一定とするために、ピッチを示す関数ｆ（υ）を１次関数とする。
（ハ）最小の構成とするために、鉛直方向の媒介変数υの大きさを吸入行程と排出行程に要する範囲に限定し、移送行程を無くす。
機関をこのように造り、２個のローターを各々回転させるとき、この機関はポンプとして作用する。
【実施例】
【０００６】  ポンプとしての２軸式流体移送器を構成する３つの部品、即ち２個のローター（イ）（ロ）と、これを納めるケーシング（ハ）の立体形状を下に示す。
・２ｔａｎα＝ｔａｎ（ｔａｎα＋α−π）と置く。
・ｌは２個のローターの軸間距離を表す任意の定数である。
・θはローターの回転位置を表す任意の定数である。
・ω＝ａｒｃｉｎｖ（ｉｎｖα＋π）−αと置く。
2005226627.tif 000003
（イ）ローター１
2005226627.tif 000004
（ロ）ローター２
2005226627.tif 000005
2005226627.tif 000006
（ハ）ケーシング内壁
2005226627.tif 000007
【産業上の利用可能性】
【０００７】
【０００８】
【図面の簡単な説明】
【０００９】
【図１】  本案の断面図
【図２】  本案の立体図（ポンプとしての実施例）
【符号の説明】
１はローター１    ２はローター２    ３はケーシング内壁
【００１０】
【図１】
2005226627.tif 000018
【図２】
2005226627.tif 000019
【手続補正書】
【提出日】平成16年3月3日(2004.3.3)
【手続補正１】
【補正対象書類名】特許請求の範囲
【補正対象項目名】全文
【補正方法】変更
【補正の内容】
【書類名】            特許請求の範囲【請求項１】  ２軸式流体移送器を構成する３つの部品、即ち２個のローター（イ）（ロ）と、これを納めるケーシング（ハ）の断面形状。    ・αはローターの形状を表す定数である。      ２ｔａｎα０＝ｔａｎ（ｔａｎα０＋α０−π）と置けば、その範囲は、2005226627.tif 000020
である。    ・ｌは２個のローターの軸間距離を表す任意の定数である。    ・θはローターの回転位置を表す任意の定数である。    ・ω＝ａｒｃｉｎｖ（ｉｎｖ｜α｜＋π）−｜α｜と置く。2005226627.tif 000021
（イ）ローター１2005226627.tif 000022
2005226627.tif 000023
（ロ）ローター２2005226627.tif 000024
（ハ）ケーシング内壁2005226627.tif 000025
【請求項２】  ２軸式流体移送器を構成する３つの部品、即ち２個のローター（イ）（ロ）と、これを納めるケーシング（ハ）の断面形状。    ・αはローターの形状を表す定数である。      ２ｔａｎα０＝ｔａｎ（ｔａｎα０＋α０−π）と置けば、その範囲は、2005226627.tif 000026
である。    ・ｌは２個のローターの軸間距離を表す任意の定数である。    ・θはローターの回転位置を表す任意の定数である。2005226627.tif 000027
（イ）ローター１2005226627.tif 000028
2005226627.tif 000029
（ロ）ローター２2005226627.tif 000030
（ハ）ケーシング内壁2005226627.tif 000031